(57)【特許請求の範囲】
【請求項１】
遊技盤に着脱自在に装着される入賞口ユニットを備えたパチンコ遊技機において、
前記入賞口ユニットは、
前記遊技盤に形成された取付穴部に嵌合固定されるユニットベースと、
前記ユニットベースに設けられた第１入賞口と、
前記第１入賞口の下側においてユニットベースに設けられた開閉式の第２入賞口と、
前記ユニットベースの上部に設けられた釘固定部と、
前記釘固定部に固定されて第１入賞口への入球率を調整可能な障害釘とを備え、
前記ユニットベースの上端側部分に障害釘と共に釘固定部を交換可能に固定する着脱機構を設け、
前記着脱機構は、
前記釘固定部を遊技盤の盤面直交方向へ移動自在にガイドするガイド部と、
前記釘固定部に当接して釘固定部を前記盤面直交方向へ移動不能に位置決めする位置決め部と、
前記位置決め部で位置決めされた釘固定部に係合して釘固定部を係止する弾性の有る係止爪を有する係止部とを備えた、
ことを特徴とするパチンコ遊技機。
【発明の詳細な説明】
【技術分野】
【０００１】
本発明はパチンコ遊技機に関し、特に、第１入賞口と所謂電チューやアタッカー等の開閉式の第２入賞口とを備えた入賞口ユニットに、第１入賞口への入球率を調整可能な１対の障害釘（命釘）を設けたものである。
【背景技術】
【０００２】
従来、パチンコ遊技機において、遊技盤には多数の障害釘が固定されているが、近年、遊技盤に、非開閉式の第１始動口、開閉式の第２始動口、開閉式の大入賞口を設け、遊技球が始動口に入賞した場合に抽選を行う。通常は第２始動口に遊技球が殆ど入賞しないため、主に第１始動口への入賞に基づく抽選を受けることになるが、その抽選で当選した場合に、大入賞口を複数ラウンドに亙って開閉する大当り遊技を発生させ、大当り遊技終了後の一定期間は、第２始動口を通常よりも入球率が高くなるように開閉させる。
【０００３】
この種のパチンコ遊技機では、第１始動口への遊技球の入賞が鍵となるため、第１始動口の上方近傍に１対の障害釘である命釘が配置され、この命釘の傾きを変えて第１始動口への入球率を調整することができる。
【０００４】
一方、遊技盤に着脱自在に装着される始動口ユニットを備え、この始動口ユニットに、第１，第２始動口を設けたものは公知である。この始動口ユニットは、通常、遊技盤に設けられた球転動ステージの下側に配置され、故に、球転動ステージと始動口ユニットとの間の遊技盤部分に１対の命釘が固定されることになる。
【０００５】
ところで、パチンコ遊技機において、多数の障害釘の中には、遊技球が比較的多くまた強く衝突する障害釘が存在し、稼働期間が長くなるにつれて、その障害釘が疲労により折損する虞がある。そして、障害釘が折損した場合には、その障害釘の遊技盤に残存した部分を取除いて、新たな障害釘を遊技盤に固定する交換作業を行う必要がある。ここで、障害釘の交換作業が容易な技術が公知である（特許文献１，２参照）。
【０００６】
特許文献１（図３、図５）の技術では、非開閉式の入賞口と１対の命釘を一体的に有する遊技部材が、遊技盤に形成された取付穴部に着脱自在に嵌合固定されている。つまり、命釘が折損した場合には、この遊技部材全体が他の遊技部材に交換される。また、１対の命釘間の幅が異なる２種類の遊技部材が用意されており、その一方から他方へ交換することで、入賞口への入球率を調整することができる。
【０００７】
特許文献２（図３）の技術では、ベース板とそのベース板に取付けられた１つの入賞口及び１対の命釘を含む複数の障害釘とを一体的に有する比較的大型の遊技部材が複数種類（５種類）用意され、そのうちの１つの遊技部材が遊技盤に形成された取付穴部に着脱自在に嵌合固定されている。各遊技部材の入賞口の構成と複数の障害釘の配置が他の遊技部材のものと異なり、そのうちの１つの遊技部材の入賞口は開閉式の入賞口になっている。
【先行技術文献】
【特許文献】
【０００８】
【特許文献１】特開平１１−１９７３１１号公報
【特許文献２】特開２００４−４９６４２号公報
【発明の概要】
【発明が解決しようとする課題】
【０００９】
パチンコ遊技機において、障害釘が折損した場合、その障害釘の遊技盤に残存した部分を遊技盤裏側から前側へ押し出すようにして取除き、そのために、遊技盤裏側に装着の部品（制御部品等）を取外す必要もあるため、障害釘の交換作業が非常に面倒である。また、新たな障害釘を遊技盤の同位置に固定するため、既存の木製合板からなる遊技盤では、確実に固定できない虞もある。その点、特許文献１，２の技術では改善が図られる。
【００１０】
ここで、非開閉式の第１始動口と開閉式の第２始動口を遊技盤に設ける場合、第１，第２始動口を一体的に有する始動口ユニットを設けることは、これら遊技部品の遊技盤への組付け負荷を低減する上で重要性が高い。
【００１１】
しかし、球転動ステージの下方近傍に始動口ユニットを配置する場合、球転動ステージと始動口ユニットとの間に、少なくとも１対の命釘を固定する為の遊技盤部分を確保する必要があり、そのために、始動口ユニットを球転動ステージに接近させるように配置するのに限界がある。また、文献１，２の技術では、障害釘を交換したい場合、遊技部材全体が交換されため、その多くの構成が無駄になり製造費用が高価になる。
【００１２】
本発明の目的は、第１入賞口、開閉式の第２入賞口、第１入賞口への入球率を調整可能な１対の障害釘（命釘）等の複数部品を有する入賞口ユニットを設けて、これら複数部品の遊技盤への組付け負荷を低減し、命釘が折損した場合には、その命釘の交換を簡単に無駄なく確実に行うことができる、パチンコ遊技機を提供することである。
【課題を解決するための手段】
【００１３】
請求項１の発明は、遊技盤(4,4D)に着脱自在に装着される入賞口ユニット(40,40D)を備えたパチンコ遊技機(1)において、前記入賞口ユニット(40,40D)は、前記遊技盤(4,4D)に形成された取付穴部(4b,4Db)に嵌合固定されるユニットベース(41,41B,41C,41D)と、前記ユニットベース(41,41B,41C,41D)に設けられた第１入賞口(11,12Da)と、前記第１入賞口(11,12Da)の下側においてユニットベース(41,41B,41C,41D)に設けられた開閉式の第２入賞口(12a,14Da)と、前記ユニットベース(41,41B,41C,41D)の上部に設けられた釘固定部(42,42D)と、前記釘固定部(42,42D)に固定されて第１入賞口(11,12Da)への入球率を調整可能な障害釘(43,43D)とを備え、前記ユニットベース(41,41B,41C,41D)の上端側部分に障害釘(43,43D)と共に釘固定部(42,42D)を交換可能に固定する着脱機構(50,50B,50C)を設け、前記着脱機構(50,50B,50C)は、前記釘固定部(42)を遊技盤(4)の盤面直交方向へ移動自在にガイドするガイド部(51,51B,51C)と、前記釘固定部(42)に当接して釘固定部(42)を前記盤面直交方向へ移動不能に位置決めする位置決め部(52,52B)と、前記位置決め部(52,52B)で位置決めされた釘固定部(42)に係合して釘固定部(42)を係止する弾性の有る係止爪(54,54B)を有する係止部(553,53B)とを備えたことを特徴とする。
【発明の効果】
【００２０】
本発明のパチンコ遊技機によれば、第１入賞口の入球率を調整可能な障害釘（命釘）の交換を簡単に無駄なく確実に行うことができる。
【図面の簡単な説明】
【００２１】
【図１】パチンコ遊技機の正面図である。
【図２】実施例１のパチンコ遊技機の遊技盤の正面図である。
【図３】パチンコ遊技機の制御系のブロック図である。
【図４】実施例１の始動口ユニットの正面図である。
【図５】図４の始動口ユニットの側面図である。
【図６】図４の始動口ユニットの斜視図である。
【図７】図４の始動口ユニットの命釘及び釘固定ピースの斜視図である。
【図８】図５のVIII−VIII線断面図である。
【図９】図８のIX−IX線断面図である。
【図１０】釘固定ピースが着脱途中状態の図８相当図である。
【図１１】実施例２の２種類の命釘が固定された釘固定ピースの正面図である。
【図１２】実施例３の図８相当図である。
【図１３】実施例３の図１０相当図である。
【図１４】実施例４の始動口ユニットの正面図である。
【図１５】図１４のXV−XV線断面図である。
【図１６】実施例５のパチンコ遊技機の遊技盤の正面図である。
【図１７】実施例５の始動口ユニットの正面図である。
【発明を実施するための形態】
【００２２】
本発明は、パチンコ遊技機の遊技盤に着脱自在に装着される入賞口ユニットであって、遊技盤に形成された取付穴部に嵌合固定されるユニットベースと、このユニットベースに設けられた第１入賞口と、この第１入賞口の下側においてユニットベースに設けられた開閉式の第２入賞口とを有する入賞口ユニットに適用されたものである。以下、発明を実施するための形態について実施例に基づいて説明する。
【実施例１】
【００２３】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域４ａが形成されている。開閉扉３に窓３ａが形成され、その窓３ａに透明板３ｂが装着され、その透明板３ｂにより遊技領域４ａの前側が覆われている。
【００２４】
開閉扉３には、窓３ａの下側に遊技球を貯留する貯留皿５が設けられ、その貯留皿５に演出ボタン装置６が装着されている。開閉扉３には、貯留皿５の右下側に発射ハンドル７が装着され、その発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２５】
図２、図３に示すように、遊技盤４（遊技領域４ａ）には、多数の障害釘１０（一部図示略）、第１始動口１１、第２始動口装置１２、ゲート１３、大入賞口装置１４、複数の一般入賞口１５、センタ役物１６、画像表示器１７、遊技表示盤１９が図２に示す配置で装着され、遊技盤４の裏面側に遊技制御装置２０が装着されている。
【００２６】
第１始動口１１は所謂ヘソからなり、この第１始動口１１には入賞した遊技球を検出する第１始動口スイッチ１１ａが付設されている。ゲート１３には通過した遊技球を検出するゲートＳＷ１３ａが付設され、各一般入賞口１５には入賞した遊技球を検出する一般入賞口スイッチ１５ａが付設されている。尚、「ＳＷ」はスイッチを意味する。
【００２７】
第２始動口装置１２は、第２始動口１２ａ、第２始動口１２ａを開閉する１対の開閉部材１２ｂ、第２始動口１２ａに入賞した遊技球を検出する第２始動口ＳＷ１２ｃ、１対の開閉部材１２ｂを開閉駆動する第２始動口ＳＯＬ１２ｄを有し、所謂電チューを構成している。尚、「ＳＯＬ」はソレノイドアクチュエータを意味する。１対の開閉部材１２ｂは、閉位置で第２始動口１２ａへの遊技球の入賞を不可能にし、開位置で第２始動口１２ａへの遊技球の入賞を可能にする。
【００２８】
大入賞口装置１４は、大入賞口１４ａ、大入賞口１４ａを開閉する開閉部材１４ｂ、大入賞口１４ａに入賞した遊技球を検出する大入賞口ＳＷ１４ｃ、開閉部材１４ｂを開閉駆動する大入賞口ＳＯＬ１４ｄを有し、所謂アタッカーを構成している。開閉部材１４ｂは、閉位置で大入賞口１４ａへの遊技球の入賞を不可能にし、開位置で大入賞口１４ａへの遊技球の入賞を可能にする。
【００２９】
センタ役物１６は、遊技盤４の前面よりも前方へ張出すように、遊技盤４の上部から中央部分に亙って遊技領域４ａの半分以上を占めるサイズで設けられ、このセンタ役物１６に画像表示器１７が装着されている。
【００３０】
センタ役物１６の下端部分に遊技球が転動する球転動ステージ１６ａが形成され、センタ役物１６の左部にその上部左端側から遊技球を受入れて球転動ステージ１６ａへ導くワープ通路１６ｂが設けられている。また、センタ役物１６の下端部分には、球転動ステージ１６ａの中央部（頂部）から遊技球を後方へ導入する球導入口１６ｃと、球導入口１６ａから導かれた遊技球を前方へ排出する球排出口１６ｄが形成され、この球排出口１６ｄの真下に第１始動口１１が位置している。
【００３１】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３２】
第１特別図柄表示器１９ａには、第１始動口１１への遊技球の入賞に基づいて第１特別図柄が図柄変動後に停止表示され、第２特別図柄表示器１９ｂには、第２始動口１２ａへの遊技球の入賞に基づいて第２特別図柄が図柄変動後に停止表示される。第１又は第２特別図柄表示器１９ａ又は１９ｂに大当り図柄が停止表示された場合、大当り遊技が発生して、大入賞口装置１４が、開閉部材１４ｂを開閉動作させ、通常は閉塞の大入賞口１４ａを複数ラウンドに亙って開閉させる。
【００３３】
普通図柄表示器１９ｃには、ゲート１３への遊技球の入賞（通過）に基づいて普通図柄が図柄変動後に停止表示される。普通図柄表示器１９ｃに当り図柄が停止表示された場合、補助遊技が発生して、第２始動口装置１２が、開閉部材１２ｂを開閉動作させ、通常は閉塞の第２始動口１２ａを１又は複数回開閉させ、ここで、大当り遊技終了後の一定期間は、第２始動口１２ａを通常よりも有利に開閉させる。
【００３４】
第１特別図柄保留ランプ１９ｄには、第１始動口１１に入賞した遊技球の所謂第１保留数が最大で４個表示され、第２特別図柄保留ランプ１９ｅには、第２始動口１２ａに入賞した遊技球の所謂第２保留数が最大で４個表示され、普通図柄保留ランプ１９ｆには、ゲート１３に入賞した遊技球の所謂普図保留数が最大で４個表示される。
【００３５】
発射ハンドル７を回動操作することで、遊技領域４ａの上部に発射投入された遊技球は、複数の障害釘１０に当たって方向を変えながら落下して、入賞口１１，１２ａ，１４ａ，１５の何れかに入賞した場合、そこから遊技領域４ａ外へ排出され、入賞口１１，１２ａ，１４ａ，１５の何れにも入賞しなかった場合には、最終的に、遊技領域４ａの下端部に形成されたアウト口９から遊技領域４ａ外へ排出される。
【００３６】
図３に示すように、遊技制御装置２０は、主要な遊技制御を司るメイン制御装置２１と、メイン制御装置２１から種々の指令を受けて演出制御を司るサブ制御装置２５とを備えている。メイン制御装置２１は、遊技制御基板２２にＣＰＵとＲＯＭとＲＡＭとを備えて構成されている。遊技制御基板２２は盤用外部情報端子基板２３に接続されている。
【００３７】
サブ制御装置２５は、払出制御基板２６、演出制御基板２７、画像制御基板２８、ランプ制御基板２９に夫々ＣＰＵとＲＯＭとＲＡＭを備えて構成され、演出制御基板２７は更にＲＴＣを備えている。払出制御基板２６は枠用外部情報端子基板２４に接続されている。尚、「ＲＴＣ」はリアルタイムクロックを意味する。
【００３８】
遊技制御基板２２は、第１，第２始動口ＳＷ１１ａ，１２ｃ、ゲートＳＷ１３ａ、大入賞口ＳＷ１４ｃ、一般入賞口ＳＷ１５ａからの球検出信号と、払出制御基板２６からの制御情報を受けて、第２始動口ＳＯＬ１２ｄ、大入賞口ＳＯＬ１４ｄ、図柄表示器１９ａ〜１９ｃ、図柄保留ランプ１９ｄ〜１９ｆを制御し、払出制御基板２６と演出制御基板２７と盤用外部情報端子基板２３に制御情報（遊技情報）を出力する。
【００３９】
払出制御基板２６は、遊技制御基板２２からの制御情報と、払出球検出ＳＷ３１、球有り検出ＳＷ３２、満タン検出ＳＷ３３からの球検出信号を受けて、払出モータ３０を制御し、入賞口１１，１２ａ，１４ａ，１５への遊技球の入賞１個について、入賞口１１，１２ａ，１４ａ，１５毎に設定された数の遊技球を貯留皿５に払出し、遊技制御基板２２と枠用外部情報端子基板２４に制御情報（払出情報）を出力する。
【００４０】
演出制御基板２７は、遊技制御基板２２からの制御情報と、演出ボタン装置６からのボタン操作信号を受けて、画像制御基板２８に制御情報を出力し、更に、画像制御基板２８からの制御情報を受けて、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御する。
【００４１】
図２、図４〜図１０に示すように、このパチンコ遊技機１は、遊技盤４に着脱自在に装着される入賞口ユニットに相当する始動口ユニット４０を備えている。この始動口ユニット４０は、遊技盤４に形成された取付穴部４ｂに嵌合固定されるユニットベース４１、ユニットベース４１に設けられた非開閉式の第１入賞口に相当する第１始動口１１、第１始動口１１の下側においてユニットベース４１に設けられた開閉式の第２入賞口に相当する第２始動口１２ａを含む第２始動口装置１２、ユニットベース４１の上部に設けられた釘固定部である釘固定ピース４２、釘固定ピース４２に固定されて第１始動口１１への入球率を調整可能な左右１対の障害釘である命釘４３等を備えている。
【００４２】
取付穴部４ｂは、遊技盤４に設けられたセンタ役物１６の球転動ステージ１６ａの下方近傍に形成されている。始動口ユニット４０は、この取付穴部４ｂに遊技盤４の前側から着脱され、取付穴部４ｂに嵌合固定された始動口ユニット４０は、球転動ステージ１６ａの下方近傍に位置し、釘固定ピース４２の上端部が球転動ステージ１６ａに接近するように配置されている。ユニットベース４１の上部に１対の命釘４３と共に釘固定ピース４２を交換可能に固定する着脱機構５０が設けられている。
【００４３】
ユニットベース４１は、合成樹脂製で、正面視山形の平板状のベース本体４１ａと、このベース本体４１ａから後方へ突出するベース後部４１ｂとを有する。ベース後部４１ｂが取付穴部４ｂに嵌合されて、ベース本体４１ａの外周部が遊技盤４の取付穴部４ｂの外周縁部に前側から当接した状態で、ユニットベース４１が遊技盤４に固定されている。
【００４４】
ベース本体４１ａの上部に前方へ突出する第１球受部４１ｃが一体的に形成され、この第１球受部４１ｃに第１始動口１１が上方開放状に形成され、ベース本体４１ａの下部に前方へ突出する第２球受部４１ｄが一体的に形成され、この第２球受部４１ｄに第２始動口１２ａが上方開放状に形成されている。第１，第２球受部４１ｃ，４１ｄ又はそこから延びる球通路部に第１，第２始動口ＳＷ１１ａ，１２ｃが取付けられている。
【００４５】
第２始動口装置１２の１対の開閉部材１２ｂは、ベース本体４１ａの前側に配置されて、左右に開閉自在にユニットベース４１に支持され、第２始動口ＳＯＬ１２ｄは、ユニットベース４１の後側部分に取付けられている。尚、ベース本体４１ａには、第１，第２始動口１１，１２ａの間に装飾体４１ｅが設けられ、その前面部が電飾に使用され、また、ベース本体４１ａ、第１，第２球受部４１ｃ，４１ｄの前面部も電飾に使用されている。
【００４６】
釘固定ピース４２は、合成樹脂製で、この釘固定ピース４２に、１対の真鍮製の命釘４３がその後端部を突刺し固定されている。釘固定ピース４２は、その大部分が矩形ブロックからなるピース本体４２ａに形成され、そのピース本体４２ａの前端側が正面視にてピース本体４２ａよりも小さな矩形のピース凸部４２ｂに形成され、ピース本体４２ａとピース凸部４２ｂとの境界部に前方へ向くピース段部４２ｃが形成されている。
【００４７】
ユニットベース４１の上端部分には、ベース本体４１ａから後方へ延びるピース取付部４１ｆがベース本体４１ａに一体形成され、このピース取付部４１ｆに正面視矩形の嵌合穴部４４が前後に貫通状に形成されている。釘固定ピース４２は、この嵌合穴部４４に着脱機構５０によって着脱可能に嵌合固定されている。
【００４８】
嵌合穴部４４は、その大部分がピース本体４２ａの嵌合用の穴部本体４４ａに形成され、その穴部本体４４ａの前端側が正面視にて穴部本体４４ａよりも小さなピース凸部４２ｂの嵌合用の穴先端部４４ｂに形成され、穴部本体４４ａと穴先端部４４ｂとの境界部に後方へ向く穴段部４４ｃが形成されている。穴先端部４４ｂはベース本体４１ａに形成されている。尚、ピース取付部４１ｆは例えばベース後部４１ｂに連結支持されている。
【００４９】
図４〜図６、図８〜図１０に示すように、着脱機構５０は、釘固定ピース４２を前後方向（遊技盤４の盤面直交方向）へ移動自在にガイドするガイド部５１と、釘固定ピース４２の前端部に当接して釘固定ピース４２を位置決めする位置決め部５２と、位置決め部５２で位置決めされた釘固定ピース４２の後端部に係合して釘固定ピース４２を係止する係止部５３とを有する。
【００５０】
ガイド部５１は、嵌合穴部４４の主に穴部本体４４ａからなり、釘固定ピース４２を着脱する際、この穴部本体４４ａの内周面にピース本体４２ａの外周面が摺接する。位置決め部５２は、嵌合穴部４４の穴段部４４ｃからなり、この穴段部４４ｃにピース段部４２ｃが後側から当接して、釘固定ピース４２が嵌合穴部４４に対して位置決めされた状態になる。この状態で、ピース凸部４２ｂが穴先端部４４ｂに嵌合し、ベース本体４１ａの前面とピース凸部４２ｂの前端面が面一になり（つまり、前記両面の前後方向位置が一致し）、ピース本体４２ａと穴部本体４４ａの両後端部の前後方向位置が一致する。
【００５１】
係止部５３は、ピース取付部４１ｆ（即ち、ベース本体４１ａ）に一体形成された弾性の有る左右１対の係止爪５４を有する。１対の係止爪５４は、ピース取付部４１ｆの嵌合穴部４４（穴部本体４４ａ）の両側壁に、その後端から前方へ延びるスリットを形成することで、前後に細長く形成されている。各係止爪５４は、左右に弾性変形可能に、例えば前記側壁よりも薄い適当厚さに形成され、その後端の自由端部に嵌合穴部４４側に張出す爪部５４ａが形成されている。
【００５２】
釘固定ピース４２の着脱途中では、１対の係止爪５４が外側へ弾性変形して、１対の爪部５４ａが釘固定ピース４２の左右両側面に摺動自在に当接し（図１０参照）、釘固定ピース４２が位置決め部５２で位置決めされると、１対の係止爪５４が復帰して、１対の爪部５４ａが釘固定ピース４２の後端面に係合する（図８参照）。この状態から１対の係止爪５４を指等で外側へ弾性変形させ、１対の爪部５４ａを釘固定ピース４２の後端面から係合解除させることができる。
【００５３】
以上説明したパチンコ遊技機１の作用・効果について説明する。
【００５４】
始動口ユニット４０は、遊技盤４に形成された取付穴部４ｂに前側から嵌合固定されて、遊技盤４に組付けられている。この始動口ユニット４０において、１対の命釘４３は釘固定ピース４２に固定されて第１始動口１１の上方近傍に配置され、この命釘４３をハンマーで叩く等して屈曲させ、命釘４３の傾きを変えて第１始動口１１への入球率を調整することができる。
【００５５】
ところで、このパチンコ遊技機１では、遊技球が第１，第２始動口１１、１２ａに入賞した場合に抽選を行い、通常は第２始動口１２ａに遊技球が殆ど入賞しないため、主に第１始動口１１への入賞に基づく抽選を受けることになる。そして、この抽選で当選した場合、大入賞口１４ａを複数ラウンドに亙って開閉する大当り遊技を発生させ、大当り遊技終了後の一定期間は、第２始動口１２ａを入球率が高くなるように開閉させる。
【００５６】
つまり、第１始動口１１への遊技球の入賞が鍵となるため、第１始動口１１への入球率を調整することが必要とされるが、遊技意欲を高める上でも、命釘４３以外の大部分の障害釘１０よりも、命釘４３には多くの遊技球が衝突するようにしており、また、入球率調整のために衝撃を加えることもあり、命釘４３が疲労により折損する虞が高く、また、命釘４３を固定している部分（釘固定ピース４２）から抜け落ちる虞もある。
【００５７】
従来の命釘は遊技盤に直接突刺し固定されているため、命釘が折損した場合、その命釘の遊技盤に残存した部分を遊技盤裏側から前側へ押し出すようにして取除き、そのために、遊技盤裏側に装着の部品（制御部品等）を取外す必要もあるため、命釘の交換作業が非常に面倒であった。また、新たな命釘を遊技盤の同位置に固定するため、既存の木製合板からなる遊技盤では、確実に固定できない虞もあった。
【００５８】
この始動口ユニット４０によれば、先ず、ユニットベース４２に、第１始動口１１、第２始動口１２ａを含む第２始動口装置１２の他に、１対の命釘４３を釘固定ピース４２と共に設けて一体化し、これら複数部品を一括して遊技盤４へ組付けることができ、つまり、これら複数部品の遊技盤４への組付け負荷を低減することができる。
【００５９】
しかも、始動口ユニット４０に１対の命釘４３を一体に設けたことで、従来の始動口ユニットと球転動ステージとの間の遊技盤部分に、従来の命釘を突刺し固定するスペースを設ける必要がなくなるため、始動口ユニット４０を球転動ステージ１６ａに接近させた所望の位置に配置することができる。
【００６０】
そして、ユニットベース４２の上部に１対の命釘４３と共に釘固定ピース４２を交換可能に固定する着脱機構５０を設けたことにより、命釘４３が折損したり、釘固定ピース４２から抜け落ちたりした場合には、１対の命釘４３及び釘固定ピース４２のみを新たな１対の命釘４３及び釘固定ピース４２に交換して対処することができる。つまり、命釘４３の交換を簡単に無駄なく行うことができる。
【００６１】
この場合、着脱機構５０のガイド部５１、位置決め部５２、係止部５３（１対の係止爪５４）によって、始動口ユニット４０を遊技盤４から取外した状態で、１対の命釘４３及び釘固定ピース４２の交換を確実に行うことができる。
【００６２】
次に、実施例１を部分的に変更した以下の実施例について説明する。尚、実施例１と実質的に同一のものについては同一の符号を付して説明を省略し、実施例１と同様の効果についての説明も省略する。
【実施例２】
【００６３】
図１１に示す予め準備された２種類の命釘４３及び釘固定ピース４２（以下、命釘ピース４５，４５Ａという）の何れかが、始動口ユニット４０に組付けられている。この２種類の命釘ピース４５，４５Ａについては、釘固定ピース４２は同じもので、１対の命釘４３間の距離Ｌ，ＬＡが異なるものである。この命釘ピース４５，４５Ａの一方から他方へ交換することで、第１始動口１１への入球率を調整することができる。
【００６４】
尚、２種類の命釘ピースに限定されるものでなく、１対の命釘間の距離が異なる３種類以上の命釘ピースの何れか１つを選択し、始動口ユニット４０に組付け可能に構成してもよいし、それだけでなく、命釘の傾斜方向や傾斜角度が異なる複数種類の命釘ピースを予め準備しておき、その複数種類の命釘ピースの何れか１つを選択し、始動口ユニット４０に組付け可能に構成してもよい。
【実施例３】
【００６５】
図１２、図１３に示すように、実施例３の着脱機構５０Ｂに関して、ユニットベース４１Ｂの上端部分には、ベース本体４１Ｂａから後方へ延びるピース取付部４１Ｂｆがベース本体４１Ｂａに一体形成され、このピース取付部４１Ｂｆに正面視矩形の嵌合穴部４４Ｂが前後に貫通状に形成されている。釘固定ピース４２は、この嵌合穴部４４Ｂに着脱機構５０Ｂによって着脱可能に嵌合固定されている。
【００６６】
着脱機構５０Ｂは、釘固定ピース４２を前後方向（遊技盤４の盤面直交方向）へ移動自在にガイドするガイド部５１Ｂと、釘固定ピース４２の後端部に当接して釘固定ピース４２を位置決めする位置決め部５２Ｂと、位置決め部５２Ｂで位置決めされた釘固定ピース４２の前端部に係合して釘固定ピース４２を係止する係止部５３Ｂとを有する。
【００６７】
ガイド部５１Ｂは、嵌合穴部４４Ｂからなり、釘固定ピース４２を着脱する際、この嵌合穴部４４Ｂの内周面にピース本体４２ａの外周面が摺接する。位置決め部５２Ｂは、嵌合穴部４４Ｂの後壁４４Ｂａからなり、この後壁４４Ｂａにピース本体４２ａの後端部が前側から当接して、釘固定ピース４２が嵌合穴部４４Ｂに対して位置決めされた状態になる。この状態で、ベース本体４１Ｂａの前面とピース凸部４２ｂの前端面が面一になる（つまり、前記両面の前後方向位置が一致する）。
【００６８】
係止部５３Ｂは、ピース取付部４１Ｂｆ（即ち、ベース本体４１Ｂａ）に一体形成された弾性の有る左右１対の係止爪５４Ｂを有する。１対の係止爪５４Ｂは、ピース取付部４１Ｂｆの嵌合穴部４４Ｂの両側壁に、その前端から後方へ延びるスリットを形成することで、前後に細長く形成されている。各係止爪５４Ｂは、左右に弾性変形可能に、例えば前記側壁よりも薄い適当厚さに形成され、その前端の自由端部に嵌合穴部４４Ｂ側に張出す爪部５４Ｂａが形成されている。
【００６９】
釘固定ピース４２の着脱途中では、１対の係止爪５４Ｂが外側へ弾性変形して、１対の爪部５４Ｂａが釘固定ピース４２の左右両側面に摺動自在に当接し（図１３参照）、釘固定ピース４２が位置決め部５２Ｂで位置決めされると、１対の係止爪５４Ｂが復帰して、１対の爪部５４Ｂａが釘固定ピース４２のピース段部４２ｃに係合する（図１２参照）。この状態から１対の係止爪５４Ｂを指等で外側へ弾性変形させ、１対の爪部５４Ｂａを釘固定ピース４２のピース段部４２ｃから係合解除させることができる。命釘４３が折損した場合、始動口ユニット４０を遊技盤４から取外すことなく、１対の命釘４３と共に釘固定ピース４２を交換可能に構成することもできる。
【実施例４】
【００７０】
図１４、図１５に示すように、実施例４の着脱機構５０Ｃに関して、ユニットベース４１Ｃの上端部分には、ベース本体４１Ｃａから後方へ延びるピース取付部４１Ｃｆがベース本体４１Ｃａに一体形成され、このピース取付部４１Ｃｆに前後に長い嵌合凹溝部４４Ｃが形成されている。ピース取付部４１Ｃｆは、実施例１のピース取付部４１ｆの嵌合穴部４４の上壁を排除した構造である。この嵌合凹溝４４Ｃの上端部がセンタ役物１６Ｃの球転動ステージ１６Ｃａの下端部に近接している。
【００７１】
着脱機構５０Ｃは、実施例１の着脱機構５０の嵌合穴部４４の上壁以外の構成と、球転動ステージ１６Ｃａに設けられたステージ側ガイド部５５Ｃとを有する。この着脱機構５０Ｃのガイド部５１Ｃは嵌合凹溝部４４Ｃからなり、ステージ側ガイド部５５Ｃは、水平な下面を有し、ガイド部５１Ｃ（嵌合凹溝部４４Ｃ）と協働して、釘固定ピース４２を遊技盤４の盤面直交方向（前後方向）へ移動自在にガイドし、実施例１の着脱機構５０のガイド部５１と同様の機能を達成している。
【実施例５】
【００７２】
図１６に示すように、実施例５においては、遊技盤４Ｄ（遊技領域４Ｄａ）には、多数の障害釘１０Ｄ、第１始動口１１Ｄ、第２始動口装置１２Ｄ、ゲート１３Ｄ、大入賞口装置１４Ｄ、複数の一般入賞口１５Ｄ、センタ役物１６Ｄ、画像表示器１７Ｄ、遊技表示盤１９Ｄが図に示す配置で装着され、これら１０Ｄ〜１７Ｄ，１９Ｄは、実施例１のものと同機能を有するものである。
【００７３】
第２始動口装置１２Ｄは、第２始動口１２Ｄａ、１対の開閉部材１２Ｄｂ、第２始動口ＳＷ（図示略）、第２始動口ＳＯＬ（図示略）を有して、所謂電チューを構成し、大入賞口装置１４Ｄは、大入賞口１４Ｄａ、開閉部材１４Ｄｂ、大入賞口ＳＷ（図示略）、大入賞口ＳＯＬ（図示略）を有して、所謂アタッカーを構成している。
【００７４】
図１６、図１７に示すように、始動口大入賞口ユニット４０Ｄは、遊技盤４Ｄに形成された取付穴部４Ｄｂに嵌合固定されるユニットベース４１Ｄ、ユニットベース４１Ｄに設けられた開閉式の第１入賞口に相当する第２始動口１２Ｄａを含む第２始動口装置１２Ｄ、第２始動口１２Ｄａの下側においてユニットベース４１Ｄに設けられた開閉式の第２入賞口に相当する大入賞口１４Ｄａを含む大入賞口装置１４Ｄ、ユニットベース４１Ｄの上部に設けられた釘固定部である釘固定ピース４２Ｄ、釘固定ピース４２Ｄに固定されて第２入賞口１２Ｄａへの入球率を調整可能な左右１対の障害釘である命釘４３Ｄ等を備えている。
【００７５】
この始動口大入賞口ユニット４０Ｄには、ユニットベース４１Ｄの上端側部分に１対の命釘４３Ｄと共に釘固定ピース４２Ｄを交換可能に固定する着脱機構５０Ｄが設けられている。釘固定ピース４２Ｄ及び着脱機構５０Ｄについては、基本的に実施例１のものと同様の構造であるので、その詳細な説明を省略する。
【実施例６】
【００７６】
図示省略するが、実施例１〜４の釘固定ピース４２、実施例５の釘固定ピース４２Ｄが、１対の命釘４３，４３Ｄを保持する保持力を発生させるとともに、命釘４３，４３Ｄを交換した場合にもその保持力を維持可能な弾性部材からなる。この弾性部材は、例えば、シリコン樹脂に多数の微細ゴム材を混在させた材料で構成されている。
【００７７】
ここで、釘固定ピース４２，４２Ｄを、ユニットベースの上端側部分に１対の障害釘と共に交換可能に固定するのではなく、つまり着脱機構を省略し、釘固定部４２，４２Ｄとしてユニットベースに一体的に設けてもよい。命釘４３，４３Ｄを折損等により交換する場合、釘固定部４２，４２Ｄについては続けて使用できるため、命釘４３，４３Ｄの交換を一層無駄なく行うことができる。
【００７８】
その他、本発明の趣旨に逸脱しない範囲において、前記開示事項以外の種々の変更を付加して実施可能であり、また、本発明は種々のパチンコ遊技機に適用可能である
【符号の説明】
【００７９】
１  パチンコ遊技機
４，４Ｄ  遊技盤
４ｂ，４Ｄｂ  取付穴部
１１，１１Ｄ  第１始動口
１２ａ，１２Ｄａ  第２始動口
１４Ｄａ  大入賞口
１６ａ，１６Ｃａ  球転動ステージ
４０  始動口ユニット
４０Ｄ  始動口大入賞口ユニット
４１，４１Ｂ，４１Ｃ，４１Ｄ  ユニットベース
４２，４２Ｄ  釘固定ピース
４３，４３Ｄ  命釘
５０，５０Ｂ，５０Ｃ，５０Ｄ  着脱機構
５１，５１Ｂ，５１Ｃ  ガイド部
５２，５２Ｂ  位置決め部
５３，５３Ｂ  係止部
５４，５４Ｂ  係止爪
５５Ｃ  ステージ側ガイド部
【図１】
0005506516.tif 000002
【図２】
0005506516.tif 000003
【図３】
0005506516.tif 000004
【図４】
0005506516.tif 000005
【図５】
0005506516.tif 000006
【図６】
0005506516.tif 000007
【図７】
0005506516.tif 000008
【図８】
0005506516.tif 000009
【図９】
0005506516.tif 000010
【図１０】
0005506516.tif 000011
【図１１】
0005506516.tif 000012
【図１２】
0005506516.tif 000013
【図１３】
0005506516.tif 000014
【図１４】
0005506516.tif 000015
【図１５】
0005506516.tif 000016
【図１６】
0005506516.tif 000017
【図１７】
0005506516.tif 000018